(57)【要約】【課題】本発明は、環境汚染の問題がなく、安全であり、且つ洗浄効果、消臭効果、植物の育成促進効果等に優れた組成物を提供することを目的とする。【解決手段】前記課題は、乳酸菌、納豆菌、糖、乳成分及び水を含む培地を、アルコール発酵酵母により発酵させて得られる液体組成物により解決される。【選択図】なし【特許請求の範囲】
【請求項１】
乳酸菌、納豆菌、糖、乳成分及び水を含む培地を、アルコール発酵酵母により発酵させて得られる液体組成物。
【請求項２】
アルコール発酵酵母がＳａｃｃｈａｒｏｍｙｃｅｓ  ｃｅｒｅｖｉｓｉａｅに属する清酒酵母である、請求項１に記載される液体組成物。
【請求項３】
前記乳酸菌がＬａｃｔｏｃｏｃｃｕｓ  ｌａｃｔｉｓ  ｓｕｂｓｐ．  ｃｒｅｍｏｒｉｓ、Ｌａｃｔｏｃｏｃｃｕｓ  ｌａｃｔｉｓ  ｓｕｂｓｐ．  ｌａｃｔｉｓ、Ｌｅｕｃｏｎｏｓｔｏｃ  ｍｅｓｅｎｔｅｒｏｉｄｅｓ  ｓｕｂｓｐ．  ｃｒｅｍｏｒｉｓ、Ｌａｃｔｏｃｏｃｃｕｓ  ｌａｃｔｉｓ  ｓｕｂｓｐ．  ｄｉａｃｅｔｙｌａｃｔｉｓ、Ｓｔｒｅｐｔｏｃｏｃｃｕｓ  ｔｈｅｒｍｏｐｈｉｌｕｓ、及びＬａｃｔｏｂａｃｉｌｌｕｓ  ｂｕｌｇａｒｉｃｕｓからなる群より選択される少なくとも１種である、請求項１又は２に記載される液体組成物。
【請求項４】
前記乳成分がヨーグルト又は脱脂粉乳である、請求項１〜３のいずれかに記載される液体組成物。
【請求項５】
洗浄用である、請求項１〜４のいずれかに記載される液体組成物。
【請求項６】
消臭用である、請求項１〜４のいずれかに記載される液体組成物。
【請求項７】
園芸用である、請求項１〜４のいずれかに記載される液体組成物。
【請求項８】
下記工程を含む液体組成物の製造方法：
（ｉ）乳酸菌、納豆菌、糖、乳成分及び水を含む培地を調製する工程、及び
（ｉｉ）アルコール発酵酵母により前記培地を発酵させる工程。
【発明の詳細な説明】
【技術分野】
【０００１】
本発明は、洗浄効果、消臭効果、植物の育成促進効果等に優れ、且つ安全性の高い液体組成物に関する。
【背景技術】
【０００２】
生活水準が向上するに伴って、衛生状態の良い環境での生活が当たり前となり、人々の清潔志向がますます強くなりつつある。消費者はより洗浄効果の高い洗剤や、消臭効果の高い消臭剤を求める傾向があり、このようなニーズに対応するため、強力な洗浄作用、消臭作用を実現し得る材料の開発が行われてきた。しかし、人工的に開発された合成化合物によって洗浄効果を発揮し得る洗剤等は廃棄された場合の環境への負荷が大きいために環境破壊につながることが懸念されている。また、合成洗剤の強い洗浄力によって皮膚が炎症を起こす等の人体への悪影響も問題となっている。そこで、環境にも人体にも悪影響を及ぼしにくく、且つ洗浄効果を有する天然成分が注目されるようになってきた。また、消臭剤についても、人工的な強い香気で臭いをマスキングしたり、臭いの元となる雑菌の繁殖を抑えるために強い殺菌作用を有する化合物を用いるよりも、天然成分による消臭作用を利用した消臭剤に関心が高まりつつあった。
【０００３】
このような背景から、天然成分を利用して洗浄、消臭効果を発揮する組成物が開発されつつある。中には、食品として安全性が確保されている成分や自然界に存在する微生物が主な材料として使用されるものもあり、環境への負荷が軽減され、且つ人体にとっても安全性の高いものも提供されている。しかし、従来の食物成分、微生物等を用いた洗浄剤や消臭剤は、その効果が十分でなく、消費者を満足させることができないという問題があった。更に、微生物による代謝（発酵等）を利用して調製される洗浄用又は消臭用組成物は、当該組成物自体に独特の発酵臭を有するものもあった。また、このような組成物には、通常、微生物を生存させるための培地が含まれる。このような培地には糖質等の微生物が資化し得る材料が含まれることから、雑菌が混入し繁殖することによって腐敗する場合があった。従って、微生物の代謝を利用して得られた洗浄用又は消臭用の組成物は、その臭いや取扱いの点で消費者に受け入れられにくいというのが現状であった。
【０００４】
また、植物の育成促進や切り花の延命効果を期待して、肥料や延命用の薬剤を植物に与えることが一般的に行われている。しかし、このような肥料等は土壌や水に混入すると土中をとおって地下水に混入したり、下水から河川に流れ込むことがあり、水質汚染の原因となる可能性がある。このような問題を回避するためには、できる限り天然に存在する材料や、安全性が確立されている材料を用いて調製されているものが望ましいと考えられる。
【０００５】
以上のような背景から、環境汚染の可能性が低く、安全性の高い材料で調製され、且つ洗浄効果、消臭効果、更には植物の成長促進効果に優れた組成物が望まれていた。
【発明の概要】
【発明が解決しようとする課題】
【０００６】
本発明は、環境汚染や人体への悪影響等のおそれがなく、優れた洗浄効果、消臭効果を備えた液体組成物を提供することを主な目的とする。また、本発明は、植物の育成促進効果や延命効果等に優れ、且つ安全性の高い液体組成物を提供することを他の目的とする。
【課題を解決するための手段】
【０００７】
本発明者らは、上記課題を解決すべく鋭意検討を行った結果、乳酸菌、納豆菌、糖、乳成分及び水を含む培地をアルコール発酵酵母により発酵させて得られる液体組成物は、洗浄効果、消臭効果、防汚効果等に優れていることを見出した。また、当該液体組成物には切り花の持ちを良くする効果や防虫効果があることも見出した。本発明は、これらの知見に基づいて更に研究を重ねた結果完成されたものである。即ち、本発明は下記態様の液体組成物、及び当該液体組成物の製造方法を提供する。
【０００８】
項１．乳酸菌、納豆菌、糖、乳成分及び水を含む培地を、アルコール発酵酵母により発酵させて得られる液体組成物。
項２．アルコール発酵酵母がＳａｃｃｈａｒｏｍｙｃｅｓ  ｃｅｒｅｖｉｓｉａｅに属する清酒酵母である、項１に記載される液体組成物。
項３．前記乳酸菌がＬａｃｔｏｃｏｃｃｕｓ  ｌａｃｔｉｓ  ｓｕｂｓｐ．  ｃｒｅｍｏｒｉｓ、Ｌａｃｔｏｃｏｃｃｕｓ  ｌａｃｔｉｓ  ｓｕｂｓｐ．  ｌａｃｔｉｓ、Ｌｅｕｃｏｎｏｓｔｏｃ  ｍｅｓｅｎｔｅｒｏｉｄｅｓ  ｓｕｂｓｐ．  ｃｒｅｍｏｒｉｓ、Ｌａｃｔｏｃｏｃｃｕｓ  ｌａｃｔｉｓ  ｓｕｂｓｐ．  ｄｉａｃｅｔｙｌａｃｔｉｓ、Ｓｔｒｅｐｔｏｃｏｃｃｕｓ  ｔｈｅｒｍｏｐｈｉｌｕｓ、及びＬａｃｔｏｂａｃｉｌｌｕｓ  ｂｕｌｇａｒｉｃｕｓからなる群より選択される少なくとも１種である、項１又は２に記載される液体組成物。
項４．前記乳成分がヨーグルト又は脱脂粉乳である、項１〜３のいずれかに記載される液体組成物。
項５．洗浄用である、項１〜４のいずれかに記載される液体組成物。
項６．消臭用である、項１〜４のいずれかに記載される液体組成物。
項７．園芸用である、項１〜４のいずれかに記載される液体組成物。
項８．下記工程を含む液体組成物の製造方法：
（ｉ）乳酸菌、納豆菌、糖、乳成分及び水を含む培地を調製する工程、及び
（ｉｉ）アルコール発酵酵母により前記培地を発酵させる工程。
【発明の効果】
【０００９】
本発明の液体組成物は優れた洗浄効果、防汚効果、漂白効果を有することから、洗浄用組成物として有用である。また、本発明の液体組成物は、油脂を多く含む汚れに対しても優れた洗浄効果を発揮することから、台所用洗剤や排水溝の清掃用の洗剤等として有用である。
【００１０】
また、本発明の液体組成物は、腐敗した食品や動物の糞尿といった不快な臭いに対して優れた消臭効果を有することから、消臭用組成物として使用することができる。更に、本発明の液体組成物は植物に対して優れた成長促進効果、延命効果を有する。また、本発明の液体組成物は、植物の害虫駆除や防虫にも優れた効果を奏するものである。
【００１１】
本発明の液体組成物の材料は、いずれも食品としての安全性が確立されたものであることから環境汚染等の問題がなく、人体にとっても非常に安全性の高いものである。また、本発明の液体組成物は、従来の微生物により発酵を利用して調製された洗浄用又は消臭用の組成物に比べて、不快な臭い（主に発酵臭）が低減されたものである。更に、本発明の液体組成物はアルコール発酵により得られることから、液中にアルコールが高濃度で含まれるため腐敗しにくいという利点がある。
【図面の簡単な説明】
【００１２】
【図１】実施例１〜６の液体組成物の洗浄効果に関する評価試験結果を示す写真である。
【図２】カレーがこびりついた鍋に対する液体組成物の洗浄効果を示す写真である。
【図３】油脂汚れを模した混合物に対する液体組成物の洗浄効果を示す写真である。
【図４】外壁汚れに対する液体組成物の洗浄効果を示す写真である。
【図５】切り花に対する液体組成物による延命効果を示す写真である。
【図６】液体組成物に浸漬し、水洗後乾燥させた濾紙を使用した場合の洗浄効果を示す写真である。
【図７】液体組成物に浸漬し、乾燥させた濾紙を使用した場合の洗浄効果を示す写真である。
【図８】液体組成物に浸漬し、乾燥させた布を使用した場合の洗浄効果を示す写真である。
【発明を実施するための形態】
【００１３】
１．液体組成物
本発明の液体組成物は、乳酸菌、納豆菌、糖、乳成分及び水を含む培地を、アルコール発酵酵母により発酵させて得られる。
【００１４】
乳酸菌（生菌）としては、従来公知のものからＬａｃｔｏｃｏｃｃｕｓ  ｌａｃｔｉｓ、Ｓｔｒｅｐｔｏｃｏｃｃｕｓ、Ｌｅｕｃｏｎｏｓｔｏｃ  ｍｅｓｅｎｔｅｒｏｉｄｅｓ等の乳酸発酵をし得る菌株から適宜選択して用いることができる。より具体的な菌株としては、Ｌａｃｔｏｃｏｃｃｕｓ  ｌａｃｔｉｓ  ｓｕｂｓｐ．ｃｒｅｍｏｒｉｓ、Ｌａｃｔｏｃｏｃｃｕｓ  ｌａｃｔｉｓ  ｓｕｂｓｐ．ｌａｃｔｉｓ、Ｌａｃｔｏｃｏｃｃｕｓ  ｌａｃｔｉｓ  ｓｕｂｓｐ．ｄｉａｃｅｔｙｌａｃｔｉｓ、Ｌｅｕｃｏｎｏｓｔｏｃ  ｍｅｓｅｎｔｅｒｏｉｄｅｓ  ｓｕｂｓｐ．ｃｒｅｍｏｒｉｓ、Ｓｔｒｅｐｔｏｃｏｃｃｕｓ  ｔｈｅｒｍｏｐｈｉｌｕｓ、Ｌａｃｔｏｂａｃｉｌｌｕｓ  ｂｕｌｇａｒｉｃｕｓ等が例示される。本発明においては乳酸菌として、これらから１種を選択して用いてもよく、２種以上を組み合わせてもよい。
【００１５】
２種以上の乳酸菌を組み合わせて用いる場合、より洗浄効果等の高い液体組成物が得られるという観点より、例えば以下の組み合わせが挙げられるがこれらに限定されない：
(ｘ)Ｓｔｒｅｐｔｏｃｏｃｃｕｓ  ｔｈｅｒｍｏｐｈｉｌｕｓ及びＬａｃｔｏｂａｃｉｌｌｕｓ  ｂｕｌｇａｒｉｃｕｓの組み合わせ；
(ｙ)Ｌａｃｔｏｃｏｃｃｕｓ  ｌａｃｔｉｓ  ｓｕｂｓｐ．ｃｒｅｍｏｒｉｓ、Ｌａｃｔｏｃｏｃｃｕｓ  ｌａｃｔｉｓ  ｓｕｂｓｐ．ｌａｃｔｉｓ、Ｌｅｕｃｏｎｏｓｔｏｃ  ｍｅｓｅｎｔｅｒｏｉｄｅｓ  ｓｕｂｓｐ．ｃｒｅｍｏｒｉｓ、及びＬａｃｔｏｃｏｃｃｕｓ  ｌａｃｔｉｓ  ｓｕｂｓｐ．ｄｉａｃｅｔｙｌａｃｔｉｓの組み合わせ；
(ｚ)Ｌａｃｔｏｃｏｃｃｕｓ  ｌａｃｔｉｓ  ｓｕｂｓｐ．ｃｒｅｍｏｒｉｓ、Ｌａｃｔｏｃｏｃｃｕｓ  ｌａｃｔｉｓ  ｓｕｂｓｐ．ｌａｃｔｉｓ、Ｌｅｕｃｏｎｏｓｔｏｃ  ｍｅｓｅｎｔｅｒｏｉｄｅｓ  ｓｕｂｓｐ．ｃｒｅｍｏｒｉｓ、及びＬａｃｔｏｃｏｃｃｕｓ  ｌａｃｔｉｓ  ｓｕｂｓｐ．ｄｉａｃｅｔｙｌａｃｔｉｓの組み合わせ。
【００１６】
これらの乳酸菌については商業的に入手可能であり、本発明においては例えばＦＤ−ＤＶＳ−ＣＨＮ−１９、ＦＤ−ＤＶＳ  ＦＲＣ−６０等（いずれもＣｈｒ．Ｈａｎｓｅｎ社製）を使用することができる。また、後述する乳成分として発酵乳を使用し、これに乳酸菌が含まれている場合には、乳酸菌を別途添加せずに本発明の液体組成物を調製してもよい。
【００１７】
乳酸菌の配合量としては、例えば、アルコール発酵酵母を含む培地の総量に対して０．００５〜１重量％、好ましくは０．００５〜０．１重量％、更に好ましくは０．００５〜０．０５重量％が挙げられる。
【００１８】
納豆菌（生菌）はＢａｃｉｌｌｕｓ  ｓｕｂｔｉｌｉｓ  ｖａｒ．  ｎａｔｔｏとして知られる。納豆菌は商業的に入手することが可能であり、本発明においては、例えば有限会社高橋祐蔵研究所製  バチルス納豆Ｂａｃｉｌｌｕｓ  ｎａｔｔｏを使用することができる。納豆菌の配合量は、例えば、アルコール発酵酵母を含む培地の総量に対して０．００５〜１重量％、好ましくは０．００５〜０．１重量％、更に好ましくは０．００５〜０．０５重量％が挙げられる。
【００１９】
糖としては、乳酸菌が資化できるものであれば特に限定されるものではないが、例えば、スクロース、グルコース、トレハロース、ラクトース、キシロース、フラクトース、マルトース、パラチノース、ガラクトース、ガラクトオリゴ糖、フラクトオリゴ糖、大豆オリゴ糖、マルトオリゴ糖、イソマルトオリゴ糖、キシロオリゴ糖等が挙げられる。また、これらの糖を水添した糖アルコールや麦芽エキス等を用いることもできる。本発明においては糖として、これらの中から１種を単独で用いてもよく、２以上を組み合わせて用いてもよい。本発明においてはスクロースが好ましいものとして例示される。
【００２０】
培地における糖の配合量としては、添加される乳酸菌の量に応じて適宜設定され得るが、例えばアルコール発酵酵母を含む培地の総量に対して０．５〜５重量％、好ましくは１〜２０重量％、更に好ましくは１〜１０重量％が挙げられる。
【００２１】
乳成分としては、例えば、牛乳（生乳、成分調整牛乳、低脂肪牛乳、無脂肪牛乳等を含む）、発酵乳（ヨーグルト等）、ホエイ（濃縮ホエイ、ホエイパウダーを含む）、脱脂粉乳、全粉乳、濃縮乳、クリーム等が挙げられる。本発明においては、例えばヨーグルト、脱脂粉乳、ホエイ、牛乳が好ましいものとして挙げられ、より好ましくはヨーグルト、脱脂粉乳が挙げられる。
【００２２】
乳成分の配合量は、その種類、状態（乾燥物、濃縮物）等によって異なるが、水分を含むもの（例えば、牛乳、ヨーグルト等）の場合には、例えばアルコール発酵酵母を含む培地の総量に対して０．５〜５重量％、好ましくは１〜２０重量％、更に好ましくは１〜１０重量％が挙げられる。また、乾燥物（例えば、脱脂粉乳、ホエイパウダー等）の場合には、例えばアルコール発酵酵母を含む培地の総量に対して０．０５〜５重量％、好ましくは０．０５〜１．５重量％、更に好ましくは０．０５〜１重量％が挙げられる。
【００２３】
本発明において水としては特に限定されないが、例えば、水道水、精製水、蒸留水、イオン交換水等が挙げられる。水の配合量は、乳酸菌、乳成分、納豆菌及び糖以外の残部に相当するように調整される。
【００２４】
本発明の液体組成物は、上記材料を含む培地をアルコール発酵酵母によりアルコール発酵して得られる。本発明において使用されるアルコール発酵酵母は従来公知の株から適宜選択され得るが、例えば、Ｓａｃｃｈａｒｏｍｙｃｅｓ  ｃｅｒｅｖｉｓｉａｅに属する菌株が挙げられる。本発明においては、Ｓａｃｃｈａｒｏｍｙｃｅｓ  ｃｅｒｅｖｉｓｉａｅに属する菌株のうち、清酒酵母、ワイン酵母、シャンパン酵母等のいずれの菌株を使用してもよく、例えば清酒酵母がより好ましいものとして挙げられる。このようなアルコール発酵酵母は商業的に入手可能であり、本発明においては、例えばＭＡＵＲＩ社製  ＭＡＵＲＩＡＫＥふじ（清酒用酵母）等を使用することができる。
【００２５】
また、アルコール発酵酵母の添加量としては、従来の酵母を用いたアルコール発酵において使用される量を参照して適宜設定され得るが、例えば培地の総量１００重量部に対して０．０００１〜０．００１重量部、好ましくは０．０００１〜０．０００７５重量部、更に好ましくは０．０００１〜０．０００５重量部が挙げられる。
【００２６】
本発明の液体組成物は、上記各成分を含む培地とアルコール発酵酵母の混合物をアルコール発酵させて得られる。アルコール発酵酵母及び前記培地を含む混合物の調製は、上記各成分を含む培地にアルコール発酵酵母を添加して行ってもよく、アルコール発酵酵母を含む全ての材料を一時に混合物として調製してもよい。混合は、必要に応じてブレンダー等を用いて撹拌することにより行われる。
【００２７】
発酵条件としては、アルコール発酵が行われ得る限り特に限定されず公知の条件に基づいて適宜設定され得るが、例えば、温度３０〜４５℃、好ましくは３５〜４５℃、更に好ましくは３５〜４０℃が挙げられる。また、発酵期間としては、例えば、１〜３０日間、好ましくは５〜２０日間、更に好ましくは５〜１５日間が挙げられる。前記期間に亘って発酵を行うことにより、液体組成物中のアルコール濃度を高めることができ、得られる液体組成物に雑菌が繁殖して腐敗することを防止できる。アルコール発酵は通常嫌気的条件下で行われるが、例えばアルコール発酵酵母としてＳａｃｃｈａｒｏｍｙｃｅｓ  ｃｅｒｅｖｉｓｉａｅを用いる場合には、好気的条件下においてアルコール発酵を行うことも可能である。従って、本発明において発酵は静置発酵により行ってもよいが、必要に応じて撹拌等を行ってもよい。
【００２８】
アルコール発酵を行うことによって得られた液体組成物には培地残渣等が含まれることから、必要に応じて液体画分を分離してもよい。分離方法としては、濾過、遠心分離、沈降分離等の従来公知の手段から適宜選択することができる。
【００２９】
本発明の液体組成物は、調製後の原液をそのまま使用することもできるが、必要に応じて希釈して用いてもよい。例えば、植物に対して使用する場合には、０．５〜５０％、好ましくは０．５〜３０%、より好ましくは０．５〜１５％の濃度となるように水で希釈して用いることができる。また、本発明の液体組成物を、真空濃縮、凍結濃縮、膜濃縮等の公知の方法によって所望の倍率に濃縮し、適宜希釈して使用することもできる。
【００３０】
また、本発明の液体組成物をデキストリン等の賦形剤を添加してスプレードライ等の公知の手法により顆粒状に調製することができ、当該顆粒を用時に水等の溶媒に溶解させて使用することができる。
【００３１】
また、本発明の液体組成物を吸水性高分子に含浸させて用いることもできる。吸水性高分子としては、従来公知のものから適宜選択することができ、例えばイソブチレン−マレイン酸共重合体の架橋高分子、ポリアクリル酸塩系の架橋高分子、カルボキシメチルセルロースの架橋高分子、澱粉−アクリロニトリルグラフト重合体ケン化物、澱粉−アクリル酸グラフト重合物等が挙げられる。吸水性高分子の形状としては、ビーズ状、ブロック状、多角形状等が挙げられるがこれらに限定されない。
【００３２】
また、本発明の液体組成物を織布、不織布等の繊維製品や濾紙等に含浸し、乾燥させて用いることもできる。本発明の液体組成物は、乾燥させた後でも水と接触することによって洗浄効果や消臭効果を発揮できることから、用時に水分と接触し得る用途に好適に使用される。また、乾燥させることによって、本発明の液体組成物自体の臭い（主にアルコール臭）を軽減させることができる。
【００３３】
２．液体組成物の製造方法
本発明は、下記工程を含む液体組成物の製造方法を提供する。
（ｉ）乳酸菌、納豆菌、糖、乳成分及び水を含む培地を調製する工程、及び
（ｉｉ）アルコール発酵酵母により前記培地を発酵させる工程。
【００３４】
本発明の製造方法において、各材料及びアルコール発酵の条件等については、上記「１．液体組成物」の欄に記載される通りである。
【００３５】
３．液体組成物の用途
本発明の液体組成物は、その効果に基づいて以下に記載される種々の用途に使用され得る。
【００３６】
［洗浄用組成物］
本発明の液体組成物は優れた洗浄効果を奏することから、洗浄用組成物として用いることができる。洗浄効果は汚れの種類を問わず発揮され、例えば、汗、皮脂、唾液、食品のシミ等の布製品の汚れ；食器、排水溝の油脂汚れ；窓、外壁等の室外の汚れ等の洗浄に優れた効果を奏する。従って、本発明の液体組成物は、室内外を問わず使用することができ、台所用洗剤、浴室用洗剤、トイレ用洗剤、車用洗剤、外壁用洗剤、食器用洗剤、衣類洗剤等として有用である。洗浄用組成物として本発明の液体組成物を使用する場合、例えば、汚れの程度に応じて適量を対象物に塗布、噴霧等した後、必要に応じて放置し、又はスポンジ等を用いて汚れに擦り込んだ後、水等で洗い流すことにより汚れを除去することができる。
【００３７】
また、本発明の液体組成物は、紙、布等の線維性製品に対して優れた漂白効果を奏することから、これらの漂白用組成物としても好適に利用される。また、本発明の液体組成物は優れた防汚効果を有することから、例えば、予め繊維製品等に含浸させて乾燥させておくことによりシミ等を付きにくくすることができる。
【００３８】
［消臭用組成物］
本発明の液体組成物は、優れた消臭効果を奏することから、消臭用組成物として用いることができる。消臭用組成物として本発明の液体組成物を使用する場合には、液体組成物を臭いの元となっている対象物に噴霧するか、当該対象物を液体組成物中に浸漬させることにより消臭することができる。
【００３９】
また、本発明の液体組成物は一旦乾燥させても水と接触させることによって消臭効果を発揮し得ることから、水分と接触する用途に好適に使用される。このような用途としては、例えば、トイレ（簡易トイレ、ペット用トイレ等を含む）、生ごみ等が挙げられるがこれらに限定されない。また、例えば、顆粒状の本発明の液体組成物を水洗トイレに流し、トイレの消臭剤として用いることもできる。本発明の液体組成物は、環境汚染の問題のない成分で構成されていることから、そのまま下水に流しても環境負荷を懸念する必要がない。また、不織布に含浸、乾燥させた後、おしめ等の衛生用品の構成材料として水分と接触するように配置することによって、これらの衛生製品を使用した際の臭いを防止することができる。
【００４０】
［園芸用組成物］
本発明の液体組成物を植物に対して使用することができる。本発明の液体組成物を植物に適量を噴霧することにより育成促進効果や防虫効果が期待できる。本発明の液体組成物を植物に対して使用する場合、必要に応じて水に希釈して使用することができる。育成促進効果を期待する場合には、例えば５〜２０００倍、好ましくは１０〜１０００倍、更に好ましくは１０〜１００倍に希釈して用いることができる。また、防虫効果を期待する場合には、例えば２０〜１０００倍、好ましくは５０〜５００倍、更に好ましくは５０〜１００倍に希釈して用いることができる。
【００４１】
また、切り花を本発明の液体組成物の希釈溶液に生けることによって延命効果を得ることができる。切り花等の延命効果を期待して本発明の液体組成物を使用する場合には、例えば０．１〜２０％、好ましくは０．１〜１５％、更に好ましくは１〜１０％の溶液となるように本発明の液体組成物を水に希釈して用いることができる。
【実施例】
【００４２】
以下、実施例、比較例等を示して本発明をより具体的に説明するが、本発明はこれらに限定されない。
【００４３】
液体組成物の調製
下表１に示される組成の液体組成物を調製した。具体的には、各成分を混合して２Ｌのペットボトル容器に収容し、恒温槽中、嫌気的条件下（ペットボトルの蓋を閉めて静置した状態）で３８℃にて７日間発酵を行い、実施例１〜６の液体組成物を得た。
【００４４】
【表１】
2014185277.tif 000002
【００４５】
評価試験１．
布の汚れに対する洗浄効果
容器に入れた布片（綿：約８ｃｍ×１０ｃｍ）に濃口醤油（５ｍｌ）を滴下し、５分間放置した。その後、実施例１〜６の液体組成物（１０ｍｌ）を入れ５分間浸漬し、液体組成物を捨てて水で洗浄した。洗浄は、別の容器に水を入れ、その中に布片を軽く通すことにより行った。更に５分間放置した後、再度布片を実施例１〜６の液体組成物（５ｍｌ）に１５分間浸漬した。なお、比較例１として、液体組成物のかわりに水（１０ｍｌ）を使用し、同様の評価を行った。
【００４６】
汚れ落ちに関し、比較例１の布片と、実施例１〜６の液体組成物により洗浄を行った布片を目視によって比較した。その結果、比較例１（水による洗浄）に比べ、実施例１〜６の液体組成物を用いた場合には明らかに洗浄効果が高いことが示された（図１（ｃ）及び（ｆ））。また、乳酸菌ＡとＢを比較すると、乳酸菌Ａを用いた液体組成物の方が更に洗浄効果が優れていることが示された（実施例３及び５）。また、乳成分についてみると、牛乳よりも脱脂粉乳を用いた液体組成物の方がより優れた洗浄効果を奏した（実施例２及び３）。
【００４７】
更に、乳酸菌Ｂと脱脂粉乳を用いた液体組成物（実施例３）は、液体組成物を添加した時点ですぐに醤油の色が薄くなりはじめ、実施例１〜６の中で最も高い洗浄効果を示した。各実施例の液体組成物又は比較例１を用いて洗浄を行った布片の代表写真を図１に示す。なお、図１中、実施例３については、組成は同じであるが異なる容器で調製したものを２種類使用して試験した結果を示す。
【００４８】
評価試験２．
（１）油汚れに対する洗浄効果
得られた実施例１の液体組成物を用いて、カレーがこびりついた鍋、又は油脂汚れを模した混合物を入れた容器に対する洗浄効果を評価した。
【００４９】
（１−１）カレーがこびりついた鍋に対する洗浄効果
実施例１の液体組成物を用いて、カレーがこびりついた鍋を洗浄したところ、優れた洗浄効果が確認された（図２を参照）。
【００５０】
（１−２）ラード及びカレー粉の混合物に対する洗浄効果
ラードとカレー粉の混合物を容器に入れて加熱溶解し、冷却して固化して脂質の多い汚れを模した混合物を調製した。この混合物に対して、水又は実施例１の液体組成物を用いて洗浄効果を評価したところ、液体組成物の優れた洗浄効果が確認された（図３を参照）。
【００５１】
（１−３）その他の汚れに対する洗浄効果
実施例１の液体組成物を用いて、ぬいぐるみ、ウースターソース又は焼き肉のたれの付いた絨毯の汚れに対する洗浄効果について評価を行ったが、いずれも水洗に比べて明らかに洗浄効果が高かった。
【００５２】
（２）外壁汚れに対する洗浄効果
実施例１の液体組成物を用いて、外壁汚れを拭き取ったところ、優れた洗浄効果が確認された（図４を参照）。また、実施例１の液体組成物を用いて室外の扉を洗浄したところ、これについても同様に優れた洗浄効果があった。
【００５３】
（３）植物に対する効果
（３−１）切り花に対する延命効果
水又は実施例１の液体組成物（水で１％、５％又は１０％となるように希釈した）を入れた瓶にカーネーションを１輪ずつ挿し、１０日間放置した。また、水を入れた瓶にカーネーションを挿し、実施例１の液体組成物（原液）を毎日１回、２〜３回スプレーで花に噴霧した。試験開始から６日間の代表写真を図５に示す。
【００５４】
切り花に対する延命効果を評価する試験を数回繰り返した結果、液体組成物を入れた瓶に挿したカーネーションは６日後も茎が伸び、花に生気があった。一方、水を入れた瓶に挿した場合には、３日目には花がしおれてしまった。１０日後において、瓶の内容が１０％希釈液である最も花の持ちがよかった。また、１０％希釈液、５％希釈液、１％希釈液について比較すると、液体組成物の濃度が高い方が花の持ちが良かった。また、水を入れた瓶にカーネーションを挿し、液体組成物を噴霧した場合には、１％希釈液に挿した場合や水に挿した場合よりも花も持ちが良かった。
【００５５】
（３−２）植物に対する防虫効果
実施例１の液体組成物を植物（キュウリ又はスイカ）に噴霧し、室外に放置したものと、液体組成物を噴霧せずに室外に放置したものを比較した。液体組成物を噴霧しなかった植物にはウリムシが寄生していた。一方、液体組成物を噴霧したものにはウリムシは見当たらなかった。このような結果から、本発明の液体組成物は防虫効果を有していることが示された。
【００５６】
（４）液体組成物による防汚効果、洗浄効果及び漂白効果
（４−１）液体組成物に浸漬し、水洗後乾燥させた濾紙を使用した場合
濾紙（厚さ１．２ｍｍ、１０ｃｍ×１０ｃｍ）を実施例３の液体組成物に浸漬し、水洗いしたものを乾燥させたものを濾紙Ａとした。前記濾紙Ａを更に水洗いし乾燥させたものを濾紙Ｂとした。また、比較対照として新しい濾紙（濾紙Ｃ、Ｄ）を使用した。評価試験は以下の通り行った。
【００５７】
各濾紙に濃口醤油（１ｍｌ）をかけ、５分放置した。その後、濾紙Ａ〜Ｃに水（１０ｍｌ）をかけ、濾紙Ｄには液体組成物（１０ｍｌ）をかけて５分放置した。その後、各濾紙を水洗いし、３０分間放置して目視により汚れ落ちを確認した。図６に濾紙の写真を示す。
【００５８】
図６（３）に示されるように、濾紙Ａ、Ｂ、Ｄは濾紙Ｃと比較すると明らかに汚れ落ちが良好であり、本発明の液体組成物による優れた洗浄効果が確認された。また、濾紙Ｂに比べ濾紙Ａでは更に優れた洗浄効果が確認された。濾紙Ａと濾紙Ｄは同程度の汚れ落ちであった。
【００５９】
評価試験において、濃口醤油（１ｍｌ）をかけた時のシミの大きさについて計測した。濾紙Ａの場合３．７５ｃｍ、濾紙Ｃ（新しい濾紙）の場合４．９ｃｍであった（シミの大きさは１０回行った平均値として表わされる）。また、濾紙Ｂの場合、４．０ｃｍ（シミの大きさは５回行った平均値として表わされる）であった。即ち、液体組成物に浸漬した濾紙の場合には、醤油のシミの広がりが小さくなり、汚れが浸み込みにくいことが示された。このような結果から、本発明の液体組成物によって防汚効果が得られることが示された。
【００６０】
また、評価試験前において濾紙Ａは濾紙ＣやＤと同程度の白さであった。これに対し、濾紙Ｂは濾紙Ａ、Ｃ、Ｄと比較して明らかに白く、本発明の液体組成物は優れた漂白効果も備えることが示された。
【００６１】
（４−２）液体組成物を浸漬し、乾燥させた濾紙を使用した場合
濾紙（厚さ１．２ｍｍ、１０ｃｍ×１０ｃｍ）を実施例３の液体組成物に浸漬し、乾燥させたものを濾紙ａとした。また、比較対照として新しい濾紙（濾紙ｂ、ｃ）を使用した。評価試験は以下の通り行った。
【００６２】
各濾紙に濃口醤油（１ｍｌ）をかけ、５分放置した。その後、濾紙ａ及びｂに水（１０ｍｌ）をかけ、濾紙ｃには液体組成物（５ｍｌ）をかけて５分放置した。その後、各濾紙を水洗いし、５分間放置して目視により汚れ落ちを確認した。図７に濾紙の写真を示す。
【００６３】
図７に示されるように、濾紙ａは濾紙ｃ及びｄに比べて醤油をかけた時のシミの広がりが小さく（図７（１）を参照）、汚れが浸み込みにくいことが示された。更に、水洗後の各濾紙についてみると、濾紙ａ及びｃは濾紙ｂに比べて明らかに醤油のシミが薄くなっていた。また、液体組成物に浸漬した濾紙ａの方が、濾紙ｃに比べて汚れ落ちが更に顕著であった（図７（３）を参照）。
【００６４】
（４−３）液体組成物に浸漬し乾燥させた布を使用した場合
布（綿：１２ｃｍ×１８ｃｍ）を実施例３の液体組成物に浸漬し、乾燥させたものを布Ａとした。前記布Ａを水洗いし、再度乾燥させたものを布Ｂとした。また、比較対照として液体組成物に浸漬していない布（布Ｃ、Ｄ）を使用した。評価試験は以下の通り行った。
【００６５】
各布に濃口醤油（１ｍｌ）をかけ、５分間放置した。その後布Ａ〜Ｃの容器に水（５ｍｌ）を入れ、布Ｄには液体組成物（５ｍｌ）をかけて５分間放置した後、各布を水洗いして３０分間放置した。その後、２４時間乾燥させ、目視により汚れ落ちを確認した。
【００６６】
また、醤油をかけた時のシミの大きさを計測したところ、布Ａの場合４．３ｃｍ、布Ｂの場合８．１ｃｍ、布Ｃ及びＤ（新しい布）の場合それぞれ８．２ｃｍ及び７．２ｃｍであった。これらの結果より、液体組成物に浸漬して乾燥させた布Ａにおいては、シミの広がりが明らかに布Ｂ〜Ｄよりも小さく、本発明の液体組成物による防汚効果が示された。図８に布の写真を示す。
【００６７】
図８（３）に示されるように、布Ａ、Ｂ、Ｄは布Ｃと比較すると明らかに汚れ落ちが良好であった。また、布Ｂに比べ布Ａでは、本発明の液体組成物による更に優れた洗浄効果が確認された。
【００６８】
（５）消臭効果
（５−１）腐敗物又は動物の糞尿に対する消臭効果
容器ａ〜ｃに腐敗したサンマ（２０ｇ）を入れ、容器ｄ、ｅに猫の糞（尿が付いたもの３０ｇ）を入れた。各容器の内容物に実施例３の液体組成物（１０ｍｌ）を噴霧し２４時間放置後の臭いを臭気計で計測した。その後、液体組成物（１５ｍｌ：サンマ又は糞がかぶる位の量）を各容器に添加し、２４時間放置後の臭いを臭気計で計測した。臭気の計測は、臭気計（ニオイセンサーＸＰ−３２９ｍ：新コスモス株式会社製）を使用して、対象物から５ｃｍの距離で行った。結果を下表２に示す。なお、表２中、数値は相対値を表す。
【００６９】
【表２】
2014185277.tif 000003
【００７０】
表２に示されるように、液体組成物を噴霧した場合、又は液体組成物に腐敗物や糞を浸漬した場合のいずれでも、臭気が顕著に低減されていることが示された。更に、液体組成物１５ｍｌを添加した容器を夏に室外で数日間放置したが、腐敗臭等の臭いは感じられなかった。
【００７１】
（５−２）液体組成物に浸漬し乾燥させた布を用いた場合の消臭効果
実施例３の液体組成物に布片（１２ｃｍ×１８ｃｍ）を浸漬し、その後２４時間乾燥させた。猫の糞（尿が付いたもの）を液体組成物に浸漬し乾燥させた布片に挟んで臭気を計測した。比較対照として液体組成物に浸漬する前の布片（１２ｃｍ×１８ｃｍ）を使用した。また、布片に挟んだ糞を容器に入れ、水２０ｍｌをかけた後、３０分間放置して臭気を計測した。臭気の計測は前述の臭気計を使用し、対象物から５ｃｍの距離で行った。結果を下表３に示す。なお、表３中、数値は相対値を表す。
【００７２】
【表３】
2014185277.tif 000004
【００７３】
前記（５−１）の表２に示されるように、評価試験開始前に測定された猫の糞の臭気は、１９４又は２０１であり、実際に強い臭いが嗅知された。発酵液に浸漬した布で包んだ場合には、比較対照の布で包んだ場合と同程度の結果となった。しかし、水をかけた場合には、発酵液に浸漬した布で包んだ方が明らかに臭気が低減されて低い値となった。また、実際に臭いを嗅いでみたところ、水をかけた後では、発酵液に浸漬した布で包んだ方は糞の臭いは嗅知されなかった。一方、比較対照の布で包んだ方では、試験開始前の状態よりは臭いは緩和されたものの、糞の臭いが感じられた。
【００７４】
また、上記（４）及び（５）に記載される評価結果より、本発明の液体組成物は布や濾紙等に浸漬させて乾燥させた後も、水と接触させることによって洗浄効果や消臭効果が得られることが示された。
【図１】
2014185277.tif 000005
【図２】
2014185277.tif 000006
【図３】
2014185277.tif 000007
【図４】
2014185277.tif 000008
【図５】
2014185277.tif 000009
【図６】
2014185277.tif 000010
【図７】
2014185277.tif 000011
【図８】
2014185277.tif 000012